(57)【要約】【課題】教育現場などにおいて、火種から炎を形成するまでの過程を、参加者に実際に体験させることができる使い勝手の良い簡易な用具を提供する。【解決手段】上部が開放されるとともに下方側部に空気取入口２を有する有底円筒状の筐体３と、上下方向で空気取入口２と筐体３の上端との間に、火種からの熱により発火する炎形成材を、上側に保持する保持部材４を備え、保持部材４が、保持部材４の上下間で空気を通流可能に構成され、火種５及び炎形成材６を保持部材４上に保持した状態で炎を形成する発火台１。【選択図】図３
2015052407.tif 000002
【特許請求の範囲】
【請求項１】
上部が開放されるとともに下方側部に空気取入口を有する有底筒状の筐体と、
上下方向で前記空気取入口と前記筐体の上端との間に、火種からの熱により発火する炎形成材を、上側に保持する保持部材を備え、
前記保持部材が、前記保持部材の上下間で空気を通流可能に構成され、
前記火種及び前記炎形成材を前記保持部材上に保持した状態で炎を形成する発火台。
【請求項２】
前記空気取入口が、貫通孔であり
前記筐体の上端部が、前記保持部材より上部において、前記空気取入口の設けられた側面部位とは反対側の上方側面部位に、切込み部を有する請求項１に記載の発火台。
【請求項３】
前記保持部材が、金網である請求項１又は２に記載の発火台。
【請求項４】
前記筐体として、竹を用い、
当該竹の節部分を前記筐体の底部とする請求項１〜３の何れか一項に記載の発火台。
【発明の詳細な説明】
【技術分野】
【０００１】
本発明は、火種からの熱により発火する炎形成材を用い、炎を形成するための発火台に関する。
【背景技術】
【０００２】
古来の発火方法の１つとして、木と木を擦り合せて火種を得る、いわゆる、きりもみ式の火起こし器がある（例えば特許文献１を参照）。火起こし器を用いて得た火種は、麻綿などに包み込み、その麻綿を振り回して空気を送ることで発火させることができる。このような火起こし器は、現在においても、火について子供たちが学ぶための教育現場などにおいて利用されている。
【先行技術文献】
【特許文献】
【０００３】
【特許文献１】実用新案登録３１３１０３２号公報
【発明の概要】
【発明が解決しようとする課題】
【０００４】
しかしながら、火種を作った後、火種を用いて手に持った麻綿を発火させる過程に関しては、手の上で発火することから、安全面などを考慮すると誰にでもできるとは言い難い。このため、教育現場などにおいて、使い勝手の良い簡易な用具を用いて、火種から炎を形成するまでの過程を、参加者に実際に体験させることが難しかった。よって、教育現場などにおいて、火種から炎を形成するまでの過程を、参加者に実際に体験させることができる使い勝手の良い簡易な用具の提供が望まれていた。
【課題を解決するための手段】
【０００５】
上記目的を達成するため、本願発明に係る発火台の特徴構成は、上部が開放されるとともに下方側部に空気取入口を有する有底筒状の筐体と、
上下方向で前記空気取入口と前記筐体の上端との間に、火種からの熱により発火する炎形成材を、上側に保持する保持部材を備え、
前記保持部材が、前記保持部材の上下間で空気を通流可能に構成され、
前記火種及び前記炎形成材を前記保持部材上に保持した状態で炎を形成する点にある。
【０００６】
上記特徴構成により、本願発明に係る発火台を用いれば、保持部材上に炎形成材及び火種を載せることができる。また、空気取入口から、保持部材上の炎形成材及び火種に空気を送ることができる。よって、空気を送り込んで炎を形成する際に、火種や炎形成材に直接手を触れる必要がなくなる。すなわち、安全に炎形成材を発火させることが可能となる。よって、教育現場などにおいて、火種から炎を形成するまでの過程を、参加者に実際に体験させることができる使い勝手の良い簡易な用具を提供することができる。
【０００７】
本願発明に係る発火台においては、上記特徴構成に加えて、前記空気取入口が、貫通孔であり、
前記筐体の上端部が、前記保持部材より上部において、前記空気取入口の設けられた側面部位とは反対側の上方側面部位に、切込み部を有する構成とすると好適である。
【０００８】
上記特徴構成によれば、切込み部を利用することで、例えば、紙などの上に置いた火種を保持部材上に入れやすく、また、保持部材を筐体により深く挿入することができる。よって、火種及び炎形成材をより筐体内部に置くことができるため、空気取り入れ口からうちわ等で空気を送り込むとき、炎形成材が風で飛ばされたりすることを抑えることができる。すなわち、より安定して炎形成材を発火させることが可能となる。
【０００９】
加えて、前記保持部材が、金網である構成とすると好適である。
【００１０】
上記特徴構成によれば、金網は入手性が良く、加工が容易なため、発火台を安価かつ容易に作成できる。
【００１１】
さらに、前記筐体として、竹を用い、
当該竹の節部分を前記筐体の底部とする構成とすると好適である。
【００１２】
上記特徴構成によれば、発火台として必要十分な強度の筐体を安価に確保できる。また、加工も容易なため、発火台をより安価かつ容易に作成できる。さらに、竹は金属に比べて熱伝導しにくいため、発火後も表面が熱くならず、火傷等の危険も回避できる。
【図面の簡単な説明】
【００１３】
【図１】本願発明に係る発火台の概略図
【図２】本願発明に係る発火台に用いる火種の作成方法を示す図
【図３】本願発明に係る発火台の使用方法を示す図
【発明を実施するための形態】
【００１４】
〔発火台の構成〕
図１を用いて、本願発明に係る発火台１について説明する。図１には、発火台１の実施形態として（ａ）と（ｂ）の２つの例を図示している。以下ではまず図１（ａ）の構成について説明した後、図１（ｂ）の構成について説明する。
【００１５】
図１（ａ）に示すように、発火台１は、上部が開放された有底筒状の筐体３からなる。本実施形態においては、筐体３として円筒状のものを用いている。ここで、筐体３には、下方側部に空気取入口２を有する。本実施形態においては、空気取入口２は、矩形の貫通孔として形成されている。
【００１６】
本実施形態においては、筐体３として竹を用いる。ここで、竹で筐体３を作成する際には、竹の節３２部分を筐体３の底部となるように加工する。
【００１７】
さらに、発火台１は、上下方向で空気取入口２の上端と筐体３の上端との間に、火種５からの熱により発火する炎形成材６を保持する保持部材４を備えている。本実施形態においては、炎形成材６として、例えば麻綿を用いる。ここで、炎形成材６は、いわゆる火口を意味する。
【００１８】
ここで、保持部材４は、保持部材４の上側に炎形成材６を保持可能に構成される。本実施形態においては、保持部材４は、筐体３の水平方向全面にわたって延在するように構成される。また、保持部材４は、保持部材４の上下間で空気を通流可能に構成されている。このような保持部材４として、本実施形態においては金網を用いる。本実施形態においては、図３に示すように、保持部材４としての金網は、筐体３の内径よりも大きな径のものを用い、金網が筐体３内に押し込める程度に金網の淵を折り曲げた後、上方から筐体３内に押し込むとともに、筐体３内の内側において木ねじ（図示省略）で固定している。なお、木ねじによる固定に代え、筐体３の側面に貫通孔を設け、ビスやナットを用いて金網を固定しても構わない。
【００１９】
続いて、図１（ａ）の構成に変形を加えた、図１（ｂ）の構成について説明する。なお、図１（ａ）と同一部分については説明を省略する。図１（ｂ）の構成においては、筐体３の上端部が、保持部材４より上部において、空気取入口２の設けられた側面部位とは反対側の上方側面部位に、切込み部３１を有する。ここで、切込み部３１は、Ｖ字型に形成されると好適である。
【００２０】
図１（ａ）及び（ｂ）を用いて上述した発火台１は、図３に示すように、火種５及び炎形成材６を保持部材４上に保持した状態で炎を形成するように構成されている。以下では、発火台１を用いて、炎を形成する方法について説明する。
【００２１】
〔発火台の使用方法〕
本願発明に係る発火台１の使用方法を説明をするにあたり、まず、図２を用いて、発火台１に用いる火種５の作り方を説明する。火種５の作り方としては、まいぎり式、ゆみぎり式、ひもぎり式など種々の方法があるが、ここでは、一例として、ひもぎり式での方法について説明する。
【００２２】
図２に示すように、火種５を作るにあたっては、火きり棒１１、引き紐１２、及び火きり板１３を用いる。
まず、火きり棒１１を火きり板１３の上に配置し、火きり棒１１に引き紐１２を絡める。そして、図示する状態で、引き紐１２を押し引きすることで火きり棒１１を回転させると、火きり棒１１と火きり板１３との摩擦で、火きり棒１１及び火きり板１３が削れ、木粉が発生する。この木粉は、火きり棒１１と火きり板１３との摩擦熱により焦げて高温で燻っている状態となる。この燻っている状態の木粉が、火種５である。ここで火種５を作る際に、図示するように、火きり板１３の下に紙１４を敷いておくと、火種５を作った後、紙１４を用いて火種５を運搬することができるため好適である。また、紙１４に予め折り目をつけておいても良い。
【００２３】
次に、図３を用いて、本願発明に係る発火台１の使い方を説明する。ここで、火種５には、先に説明した火種５を用いる。
【００２４】
まず、保持部材４の上に、炎形成材６を載せる。
次に、載せた炎形成材６の上に火種５を置く。このとき、紙１４の上におかれた火種５を、紙１４から滑らせて炎形成材６上に置くと良い。このとき、紙１４の端部と炎形成材６の間が離れていると火種５が落ちるときにばらけて温度が下がったり、炎形成材６の中央に置けない事がある。紙１４を谷折りにたわめて火種５を滑らせると紙１４の先端が炎形成材６に近くなり、目的の場所にばらけずに置くことができる。このとき、図１（ｂ）に示す発火台１を使用する場合は、切込み部３１に、谷折りにたわめた紙１４又は予め折り目を付けておいた紙１４の折り目を沿わせることで、送風の影響を避けるために保持部材４を深めに作った発火台１の場合でもスムーズに火種５を炎形成材６上に置くことができる。
さらに、火種５を覆い隠すように、炎形成材６を載せる。
【００２５】
以上のようにして、火種５を炎形成材６で覆う。すなわち、保持部材４上に載せる炎形成材６は、少なくとも火種５を覆えるだけの量が必要である。
なお、火種５の熱は空気取入口２から流入する空気によって上方を加熱し、上部の炎形成材６が発火するので、火種５を載せる炎形成材６よりも火種５を覆う上部の炎形成材６を多めにすると良い。
【００２６】
最後に、空気取入口２から筐体３内に空気を送り込む。これにより、火種５に空気が送り込まれ火種５の熱が上方の炎形成材６を加熱し、ついに炎形成材６が発火する。なお、筐体３内に空気を送り込むにあたっては、例えば、図示するように一定距離離れた位置から、うちわで仰ぐ等の方法を用いると良い。
【００２７】
このようにして、作成した火炎は、例えば、バーベキュー台や七輪などにくべて、実用になる程度に大きな炎を形成するにあたり用いることができる。
【００２８】
〔別実施形態〕
（１）上記実施形態においては、筐体３の上端部に切込み部３１を有する構成の一例を示した。しかし、本願発明はこのような構成に限定されない。すなわち、図１（ａ）に示すように、筐体３が切込み部３１を有さない構成としても構わない。
【００２９】
（２）上記実施形態においては、保持部材４として金網を用いる構成の一例を示した。しかし、本願発明はこのような構成に限定されない。すなわち、保持部材４としては、空気を流通可能であればよく、例えば、格子状の針金、パンチングメタルを用いても構わない。
【００３０】
（３）上記実施形態においては、筐体３として竹を用いる場合の構成の一例を示した。しかし、本願発明はこのような構成に限定されない。すなわち、本願発明に係る筐体３は有底筒状であればよく、金属製の筐体、例えば、空き缶を再利用して作成しても構わない。
【００３１】
（４）上記実施形態においては、炎形成材６として麻綿を用いる場合の一例を示した。しかし、本願発明はこのような構成に限定されない。すなわち、炎形成材６としては、繊維状のもので着火しやすい物であれば良く、例えば、ガマの穂をほぐしたものを用いても良い。
【産業上の利用可能性】
【００３２】
火種からの熱により発火する炎形成材を用い、炎を形成するための発火台として利用可能である。
【符号の説明】
【００３３】
１        ：発火台
２        ：空気取入口
３        ：筐体
４        ：保持部材
５        ：火種
６        ：炎形成材
３１      ：切込み部
【図１】
2015052407.tif 000003
【図２】
2015052407.tif 000004
【図３】
2015052407.tif 000005